(57)【要約】      （修正有）【課題】サマータイムの実施ルールをユーザー操作によって容易に修正できる電子時計を提供する。【解決手段】電子時計１は、位置情報と、タイムゾーンと、サマータイム実施ルールとが記憶された記憶部８０と、位置情報を設定する位置情報設定部２０と、位置情報設定部２０で設定された位置情報に対応するタイムゾーンと、サマータイム実施ルールとに基づいて時刻を表示する時刻表示部と、サマータイムを実施状態および未実施状態に切り換える切換操作部と、切換操作部によるサマータイムの切換操作が行われたタイミングに基づいて、サマータイム実施ルールを修正する制御部２０とを備える。【選択図】図２
2018146397.tif 000002
【特許請求の範囲】
【請求項１】
位置情報と、前記位置情報に対応するタイムゾーンと、前記位置情報に対応するサマータイム実施ルールとが記憶された記憶部と、
前記位置情報を設定する位置情報設定部と、
前記位置情報設定部で設定された前記位置情報に対応する前記タイムゾーンと、前記サマータイム実施ルールとに基づいて時刻を表示する時刻表示部と、
サマータイムを実施状態および未実施状態に切り換える切換操作部と、
前記切換操作部によるサマータイムの切換操作が行われたタイミングに基づいて、前記サマータイム実施ルールを修正する制御部と、
を備えることを特徴とする電子時計。
【請求項２】
請求項１に記載の電子時計において、
前記サマータイム実施ルールは、サマータイム実施期間の開始時と終了時とを示すデータを有し、
前記制御部は、
前記切換操作部によって、前記サマータイムが未実施状態から実施状態に切り換えられた場合、前記切換操作が行われたタイミングが、修正前の前記サマータイム実施ルールの開始時から一定期間以内である場合は、前記サマータイム実施期間の開始時のデータを前記切換操作が行われたタイミングに基づいて修正し、
前記切換操作部によって、前記サマータイムが実施状態から未実施状態に切り換えられた場合、前記切換操作が行われたタイミングが、修正前の前記サマータイム実施ルールの終了時から一定期間以内である場合は、前記サマータイム実施期間の終了時のデータを前記切換操作が行われたタイミングに基づいて修正する
ことを特徴とする電子時計。
【請求項３】
請求項２に記載の電子時計において、
前記制御部は、
修正対象となる前記サマータイム実施期間の開始時または終了時が、月、週、曜日、時刻で指定されている場合は、
前記月および週を、前記切換操作が行われたタイミングの月および週に変更し、曜日および時刻は変更しない
ことを特徴とする電子時計。
【請求項４】
請求項２に記載の電子時計において、
前記制御部は、
修正対象となる前記サマータイム実施期間の開始時および終了時が、特定の日付および時刻で指定されている場合は、
前記特定の日付を、前記切換操作が行われたタイミングの日付に変更し、時刻は変更しない
ことを特徴とする電子時計。
【請求項５】
請求項２に記載の電子時計において、
前記制御部は、
修正対象となる前記サマータイム実施期間が未設定の場合は、
前記切換操作部によって、前記サマータイムが未実施状態から実施状態に切り換えられた場合、前記切換操作が行われたタイミングが、前記サマータイム実施期間の開始時として有効な期間内であるかを判定し、有効な期間内であれば、前記切換操作が行われたタイミングの月および週と、予め設定されている曜日および時刻で、前記サマータイム実施期間の開始時を設定し、
前記切換操作部によって、前記サマータイムが実施状態から未実施状態に切り換えられた場合、前記切換操作が行われたタイミングが、前記サマータイム実施期間の終了時として有効な期間内であるかを判定し、有効な期間内であれば、前記切換操作が行われたタイミングの月および週と、予め設定されている曜日および時刻で、前記サマータイム実施期間の終了時を設定する
ことを特徴とする電子時計。
【請求項６】
請求項１から請求項５のいずれか一項に記載の電子時計において、
位置情報衛星から送信される衛星信号を受信して現在位置および時刻情報を取得する位置情報衛星受信装置を備え、
前記位置情報設定部は、前記位置情報衛星受信装置で取得された前記現在位置に基づいて前記位置情報を設定する
ことを特徴とする電子時計。
【請求項７】
請求項１から請求項５のいずれか一項に記載の電子時計において、
前記位置情報設定部は、
前記位置情報を特定する地理情報が表示された地理情報表示部と、
前記地理情報を指示可能な指針と、
前記指針を移動操作可能な指針操作部と、を備え、
前記位置情報設定部は、前記指針操作部の操作で移動される前記指針が指示する前記地理情報に基づいて前記位置情報を設定する
ことを特徴とする電子時計。
【請求項８】
請求項１から請求項７のいずれか一項に記載の電子時計において、
前記制御部は、
前記サマータイム実施ルールに従って、自動的に前記サマータイムを適用するサマータイム自動モードと、
前記切換操作部による前記切換操作に従って、前記サマータイムの適用または非適用を設定するサマータイム手動モードと、を実行可能に構成され、
前記切換操作で前記サマータイム実施ルールが修正された場合は、前記サマータイム自動モードに設定する
ことを特徴とする電子時計。
【請求項９】
請求項１から請求項７のいずれか一項に記載の電子時計において、
前記制御部は、
前記サマータイム実施ルールに従って、自動的に前記サマータイムを適用するサマータイム自動モードと、
前記切換操作部による前記切換操作に従って、前記サマータイムの適用または非適用を設定するサマータイム手動モードと、を実行可能に構成され、
前記サマータイム自動モードにおいて、前記サマータイムの実施開始前と実施終了前の一定期間、サマータイム切換の予告を表示する予告表示部を備え、
前記制御部は、前記予告表示部でサマータイム切換の予告の表示中に前記切換操作が行われた場合は、前記サマータイム自動モードから前記サマータイム手動モードに切り換える
ことを特徴とする電子時計。
【請求項１０】
請求項１から請求項９のいずれか一項に記載の電子時計において、
前記サマータイムの実施開始後と実施終了後の一定期間、前記サマータイムの切換が実施されたことを表示するサマータイム切換表示部を備える
ことを特徴とする電子時計。
【発明の詳細な説明】
【技術分野】
【０００１】
本発明は、サマータイムを表示可能な電子時計に関する。
【背景技術】
【０００２】
電子時計には、タイムゾーンとサマータイム実施ルールとが記憶された記憶部を備え、取得された位置情報によってタイムゾーンやサマータイム実施ルールを選択し、その地域の時刻を表示する世界時計の機能を有する電子時計がある（例えば特許文献１）。
このような電子時計では、位置情報は、りゅうず等を操作して選択される都市名や、ＧＰＳ（Global Positioning System）衛星から送信される衛星信号を受信して求められる位置情報が用いられる。
また、電子時計は、位置情報によって選択されたタイムゾーンにおいて、サマータイムが実施されているかを前記サマータイム実施ルールによって判定し、サマータイム実施中の場合には、表示時刻を自動的に変更して表示することもできる。
【０００３】
ところで、サマータイムの実施の有無や、サマータイムの開始日時、終了日時などは、政治や経済上の理由などで変更される場合がある。腕時計のように、ユーザーによって持ち運ばれる時計の場合には、旅行などで訪問した国や地域において、サマータイム実施ルールが変更されていた場合、電子時計のみでサマータイム実施ルールを変更できることが求められる。
【０００４】
このため、特許文献１の電子時計では、ユーザーが、りゅうずおよび４つのボタンを有する操作部を操作し、その操作に応じて移動する複数の指針の表示を確認することで、サマータイム実施ルールの開始月、開始時、開始週、開始曜日、開始日、終了月、終了時、終了週、終了曜日、終了日などを修正していた。
【先行技術文献】
【特許文献】
【０００５】
【特許文献１】特開２０１６−１３３３３７号公報
【発明の概要】
【発明が解決しようとする課題】
【０００６】
しかしながら、特許文献１の電子時計では、サマータイムの開始時期および終了時期を修正するために、上記各情報を１つずつ設定しなければならず、複雑な操作が必要となり、直感的に操作することができない。このため、サマータイム実施ルールを、ユーザーが容易に修正できないという課題がある。
【０００７】
本発明の目的は、サマータイムの実施ルールをユーザーの操作によって容易に修正することができる電子時計を提供することにある。
【課題を解決するための手段】
【０００８】
本発明の電子時計は、位置情報と、前記位置情報に対応するタイムゾーンと、前記位置情報に対応するサマータイム実施ルールとが記憶された記憶部と、前記位置情報を設定する位置情報設定部と、前記位置情報設定部で設定された前記位置情報に対応する前記タイムゾーンと、前記サマータイム実施ルールとに基づいて時刻を表示する時刻表示部と、サマータイムを実施状態および未実施状態に切り換える切換操作部と、前記切換操作部によるサマータイムの切換操作が行われたタイミングに基づいて、前記サマータイム実施ルールを修正する制御部と、を備えることを特徴とする。
【０００９】
本発明によれば、サマータイムを実施状態または未実施状態に切り換える切換操作部を設け、制御部は、切換操作部によるサマータイムの切換操作が行われたタイミングに基づいて、前記サマータイム実施ルールを修正する。このため、電子時計のユーザーは、サマータイムの開始時期や終了時期に合わせて切換操作部を操作するだけで、サマータイム実施ルールを容易に修正できる。
【００１０】
本発明の電子時計において、前記サマータイム実施ルールは、サマータイム実施期間の開始時と終了時とを示すデータを有し、前記制御部は、前記切換操作部によって、前記サマータイムが未実施状態から実施状態に切り換えられた場合、前記切換操作が行われたタイミングが、修正前の前記サマータイム実施ルールの開始時から一定期間以内である場合は、前記サマータイム実施期間の開始時のデータを前記切換操作が行われたタイミングに基づいて修正し、前記切換操作部によって、前記サマータイムが実施状態から未実施状態に切り換えられた場合、前記切換操作が行われたタイミングが、修正前の前記サマータイム実施ルールの終了時から一定期間以内である場合は、前記サマータイム実施期間の終了時のデータを前記切換操作が行われたタイミングに基づいて修正することが好ましい。
【００１１】
本発明によれば、切換操作部で、サマータイムが未実施状態から実施状態に切り換えられたタイミングが、修正前のサマータイム実施ルールの開始時から一定期間以内である場合に、そのタイミングに応じて開始時のデータを修正している。このため、ユーザーがサマータイムの開始時を修正するために切換操作部を操作した可能性が高い場合のみ、開始時のデータを修正するため、正しく修正できる。
同様に、切換操作部で、サマータイムが実施状態から未実施状態に切り換えられたタイミングが、修正前のサマータイム実施ルールの終了時から一定期間以内である場合に、そのタイミングに応じて終了時のデータを修正している。このため、ユーザーがサマータイムの終了時を修正するために切換操作部を操作した可能性が高い場合のみ、終了時のデータを修正するため、正しく修正できる。
【００１２】
本発明の電子時計において、前記制御部は、修正対象となる前記サマータイム実施期間の開始時または終了時が、月、週、曜日、時刻で指定されている場合は、前記月および週を、前記切換操作が行われたタイミングの月および週に変更し、曜日および時刻は変更しないことが好ましい。
【００１３】
サマータイム実施ルールは、開始時および終了時が、月、週、曜日、時刻で指定されることが多く、このルールが変更される場合も、月や週のみが変更され、曜日や時刻は同じ場合が多い。したがって、本発明によれば、切換操作部を操作するタイミングで月および週を特定でき、曜日および時刻は修正前と同じに設定することで、サマータイム実施ルールを容易に修正することができる。
また、切換操作部を操作するタイミングは、曜日や時刻には影響しないため、ユーザーは曜日や時刻まで合わせて切換操作部を操作する必要が無い。このため、修正後のサマータイム実施ルールの週が一致する一週間の間に切換操作部を操作すれば良く、ユーザーの利便性を向上できる。
【００１４】
本発明の電子時計において、前記制御部は、修正対象となる前記サマータイム実施期間の開始時および終了時が、特定の日付および時刻で指定されている場合は、前記特定の日付を、前記切換操作が行われたタイミングの日付に変更し、時刻は変更しないことが好ましい。
【００１５】
本発明によれば、切換操作部を操作するタイミングで日付を特定でき、時刻は修正前と同じに設定することで、サマータイム実施ルールを容易に修正することができる。
また、切換操作部を操作するタイミングは、時刻には影響しないため、ユーザーは時刻まで合わせて切換操作部を操作する必要が無い。このため、修正後のサマータイム実施ルールの日付が一致する１日の間に切換操作部を操作すれば良く、ユーザーの利便性を向上できる。
【００１６】
本発明の電子時計において、前記制御部は、修正対象となる前記サマータイム実施期間が未設定の場合は、前記切換操作部によって、前記サマータイムが未実施状態から実施状態に切り換えられた場合、前記切換操作が行われたタイミングが、前記サマータイム実施期間の開始時として有効な期間内であるかを判定し、有効な期間内であれば、前記切換操作が行われたタイミングの月および週と、予め設定されている曜日および時刻で、前記サマータイム実施期間の開始時を設定し、前記切換操作部によって、前記サマータイムが実施状態から未実施状態に切り換えられた場合、前記切換操作が行われたタイミングが、前記サマータイム実施期間の終了時として有効な期間内であるかを判定し、有効な期間内であれば、前記切換操作が行われたタイミングの月および週と、予め設定されている曜日および時刻で、前記サマータイム実施期間の終了時を設定することが好ましい。
【００１７】
本発明によれば、サマータイムが設定されていないタイムゾーンにおいて、サマータイムを設定する場合に、サマータイム実施期間の開始時や終了時として有効な期間であるかを判定し、有効な期間である場合のみ、そのタイミングの月、週と、予め設定された曜日、時刻でサマータイム実施ルールを設定しているので、誤ったタイミングで切換操作部が操作された場合にサマータイム実施ルールを設定することを防止できる。したがって、制御部は、ユーザーがサマータイム実施ルールを設定するために切換操作部を操作した可能性が高い場合に、ルール設定処理を実行するため、正しいサマータイム実施ルールを設定できる。
【００１８】
本発明の電子時計において、位置情報衛星から送信される衛星信号を受信して現在位置および時刻情報を取得する位置情報衛星受信装置を備え、前記位置情報設定部は、前記位置情報衛星受信装置で取得された前記現在位置に基づいて前記位置情報を設定してもよい。
【００１９】
本発明によれば、位置情報衛星受信装置は、ＧＰＳ衛星などの位置情報衛星から送信される衛星信号を受信して、位置情報、時刻情報を取得する。そして、位置情報設定部は、受信処理で取得した位置情報を設定し、時刻表示部は、この位置情報に対応するタイムゾーンとサマータイム実施ルールとに基づいて時刻を表示する。
このため、電子時計のユーザーは、例えば、旅行などで海外に移動した場合でも、その場所で衛星信号の受信処理を実行すれば、タイムゾーンやサマータイムの実施期間などを電子時計が自動的に判断して、正しい時刻に自動的に修正するため、利便性を高めることができる。
【００２０】
本発明の電子時計において、前記位置情報設定部は、前記位置情報を特定する地理情報が表示された地理情報表示部と、前記地理情報を指示可能な指針と、前記指針を移動操作可能な指針操作部と、を備え、前記位置情報設定部は、前記指針操作部の操作で移動される前記指針が指示する前記地理情報に基づいて前記位置情報を設定してもよい。
【００２１】
本発明によれば、電子時計に表示された都市名などの地理情報を、りゅうずやボタンなどの指針操作部で指針を移動して指示することで位置情報を設定しているので、位置情報衛星の受信装置を備えていない電子時計や、受信装置を備えていても受信できない環境、例えば、飛行機の機内にユーザーがいる場合などでも、ユーザーの操作で位置情報を設定できる。そして、電子時計の制御部は、設定された位置情報に基づいて、タイムゾーンやサマータイムの実施期間などを自動的に判断して、正しい時刻に自動的に修正する。このため、飛行機で移動中に目的地の現地時刻に合わせることもでき、利便性を高めることができる。
【００２２】
本発明の電子時計において、前記制御部は、前記サマータイム実施ルールに従って、自動的に前記サマータイムを適用するサマータイム自動モードと、前記切換操作部による前記切換操作に従って、前記サマータイムの適用または非適用を設定するサマータイム手動モードと、を実行可能に構成され、前記切換操作で前記サマータイム実施ルールが修正された場合は、前記サマータイム自動モードに設定することが好ましい。
【００２３】
本発明によれば、切換操作部による切換操作でサマータイム実施ルールを修正した場合は、サマータイム自動モードに自動的に設定されるため、電子時計は、修正したルールに基づいて、自動的にサマータイム実施状態、未実施状態を切り換えることができる。このため、ユーザーは、サマータイム実施ルールの修正後、改めてサマータイム自動モードに設定する操作を行う必要が無く、利便性を向上できる。
【００２４】
本発明の電子時計において、前記制御部は、前記サマータイム実施ルールに従って、自動的に前記サマータイムを適用するサマータイム自動モードと、前記切換操作部による前記切換操作に従って、前記サマータイムの適用または非適用を設定するサマータイム手動モードと、を実行可能に構成され、前記サマータイム自動モードにおいて、前記サマータイムの実施開始前と実施終了前の一定期間、サマータイム切換の予告を表示する予告表示部を備え、前記制御部は、前記予告表示部でサマータイム切換の予告の表示中に前記切換操作が行われた場合は、前記サマータイム自動モードから前記サマータイム手動モードに切り換えることが好ましい。
【００２５】
本発明によれば、予告表示中に切換操作を行うことで、サマータイム手動モードに切り換えるため、サマータイム実施ルールに基づいて自動的にサマータイムの実施、未実施が切り替わることを防止できる。このため、サマータイム実施ルールが変更された際に、修正前の実施ルールに基づく切換予告を行うことで、ユーザーに対してサマータイム実施ルールの変更を促すことができる。また、修正前の実施ルールが自動的に適用されることを防止できるため、変更後のルールと異なるタイミングでサマータイムが切り替わることも防止でき、正確な現地時刻を表示できる。
【００２６】
本発明の電子時計は、前記サマータイムの実施開始後と実施終了後の一定期間、前記サマータイムの切換が実施されたことを表示するサマータイム切換表示部を備えることが好ましい。
【００２７】
本発明によれば、サマータイムの切換が実施されるとサマータイム切換表示部で表示されるため、ユーザーは、サマータイム実施期間になったか、サマータイム実施期間が終了したかを容易に確認でき、利便性を向上できる。
【図面の簡単な説明】
【００２８】
【図１】本発明の第１実施形態の電子時計を示す正面図である。
【図２】第１実施形態の電子時計の回路構成を示すブロック図である。
【図３】第１実施形態の外部記憶装置を示すブロック図である。
【図４】第１実施形態のタイムゾーン設定テーブルの構成を示す図である。
【図５】第１実施形態のサマータイム実施ルールテーブルの構成を示す図である。
【図６】第１実施形態のタイムゾーン設定修正テーブルの構成を示す図である。
【図７】第１実施形態のＤＳＴ開始およびＤＳＴ終了の手動修正処理を示すフローチャートである。
【図８】サマータイム実施期間の修正例１を示す図である。
【図９】サマータイム実施期間の修正例２を示す図である。
【図１０】サマータイム実施期間の修正例３を示す図である。
【図１１】サマータイム実施期間の修正例４を示す図である。
【図１２】第２実施形態の電子時計の回路構成を示すブロック図である。
【図１３】第２実施形態の記憶装置を示すブロック図である。
【図１４】第２実施形態のタイムゾーン設定テーブルの構成を示す図である。
【図１５】第２実施形態のサマータイム実施ルールテーブルの構成を示す図である。
【図１６】第２実施形態のタイムゾーン設定修正テーブルの構成を示す図である。
【図１７】第３実施形態のＤＳＴ開始およびＤＳＴ終了の手動修正処理を示すフローチャートである。
【図１８】第４実施形態の電子時計を示す正面図である。
【図１９】第４実施形態のＢボタンが押された際の処理を示すフローチャートである。
【図２０】第４実施形態の指針の指示を示す図である。
【図２１】第４実施形態のサマータイム実施期間の修正例を示す図である。
【図２２】第４実施形態の指針の指示を示す図である。
【図２３】第４実施形態のサマータイム実施期間の修正例を示す図である。
【発明を実施するための形態】
【００２９】
［第１実施形態］
以下、本発明の第１実施形態に係る電子機器である電子時計１を図面に基づいて説明する。
図１は、電子時計１の正面図であり、図２は、電子時計１の主な回路構成を示す概略図である。
【００３０】
電子時計１は、図１に示すように、外装ケース２を備えている。
外装ケース２は、円筒状であり、金属で形成されている。外装ケース２の二つの開口のうち、表面側の開口は、カバーガラスで塞がれており、裏面側の開口は金属で形成された裏蓋で塞がれている。
外装ケース２の側面には、後述する入力装置（操作部）４０として、Ａボタン４１と、Ｂボタン４２と、りゅうず４３とが設けられている。
【００３１】
［電子時計の表示装置］
外装ケース２の内側には、時刻や各種情報を表示する表示装置５０として、ダイヤルリング３と、文字板５と、指針５１，５２，５３，５４と、カレンダー車（日車）５５と、各指針５１〜５４およびカレンダー車５５を駆動する駆動機構（図示略）などが備えられている。
【００３２】
ダイヤルリング３は、リング状に形成されている。
文字板５は、外装ケース２の内側で時刻を表示する円形の板材である。文字板５の平面中心から時計の６時方向の位置には、サブダイヤル５Ａが設けられている。
【００３３】
指針５１，５２，５３は、文字板５の平面中心に配置される指針軸に取り付けられたセンター針である。なお、指針軸は、各指針５１，５２，５３が取り付けられる３つの指針軸で構成されている。
文字板５の外周部を囲むダイヤルリング３の内周側には、内周を６０分割にする目盛が表記されている。この目盛を用いて、指針５１は時刻の「秒」を表示し、指針５２は時刻の「分」を表示し、指針５３は時刻の「時」を表示する。すなわち、指針５１は秒針であり、指針５２は分針であり、指針５３は時針であり、指針５１〜５３および文字板５は、時刻情報を表示する時刻表示部を構成する。
【００３４】
指針５４は、サブダイヤル５Ａの平面中心に配置される指針軸に取り付けられたモード針である。
サブダイヤル５Ａの外周において、サブダイヤル５Ａの平面中心に対して略６時位置から略８時位置の範囲には、「ＤＳＴ」（daylight saving time）の英字と、「ＯＮ」、「ＯＦＦ」の英字とが表記されている。これらは、夏時間（サマータイム）に関する情報であり、指針５４が「ＯＮ」を指示する場合はサマータイムの実施期間中であることを表示し、指針５４が「ＯＦＦ」を指示する場合はサマータイムの未実施期間中であることを示す。
【００３５】
サブダイヤル５Ａの外周において、サブダイヤル５Ａの略１時位置から略４時位置の範囲には、七曜を示す英単語の頭文字である「Ｓ（Ｓｕｎｄａｙ）」、「Ｍ（Ｍｏｎｄａｙ）」、「Ｔ（Ｔｕｅｓｄａｙ）」、「Ｗ（Ｗｅｄｎｅｓｄａｙ）」、「Ｔ（Ｔｈｕｒｓｄａｙ）」、「Ｆ（Ｆｒｉｄａｙ）」、「Ｓ（Ｓａｔｕｒｄａｙ）」の文字が表記される。指針５４は、これらの文字のいずれかを指示することで曜日を表示する。
サブダイヤル５Ａの外周においては、サブダイヤル５Ａの略９時位置から略１０時位置の範囲には、円周に沿って三日月鎌状の記号が表記されている。この記号は二次電池６０のパワーインジケーターであり、電池容量に応じた位置を指針５４が指示することで電池容量が表示される。
サブダイヤル５Ａの外周において、サブダイヤル５Ａの略１１時位置から略１２時位置の範囲には、「１」と「４＋」の数字が表記されている。この記号は、位置情報衛星受信装置１０の受信モードを示し、時刻情報を取得する測時モードが選択されている場合、指針５４は「１」を指示し、時刻情報および位置情報を取得する測位モードが選択されている場合、指針５４は「４＋」を指示する。
【００３６】
したがって、指針５４は、各種情報を表示するモード針である。なお、指針５４は、通常時は曜日を指示し、受信動作時は受信モードを指示する。また、指針５４は、後述するサマータイムの実施期間の切換時と、手動操作によるサマータイム実施ルールの修正時は、ＤＳＴの「ＯＮ」、「ＯＦＦ」を指示する。さらに、指針５４は、電池残量の表示操作が行われた場合や、電池残量が閾値以下に低下した場合に、パワーインジケーターとして動作する。
【００３７】
ダイヤルリング３には、内周側の目盛に沿って、協定世界時（ＵＴＣ）との時差を表す記号５６が表記されている。記号５６は、主にＵＴＣとの時差を示す数字が用いられるが、一部、数字以外の黒丸の記号が用いられている。
また、ダイヤルリング３の周囲に設けられている外装ケース２には、ダイヤルリング３に表記されている時差を表す記号５６に対応した標準時を使用している代表都市名を表す都市情報５７が、記号５６に併記されている。
指針５１は、記号５６や都市情報５７を指示することで、現在設定されている時差や選択中の時差を表示する。
【００３８】
［電子時計の回路構成］
次に、電子時計１の回路構成について説明する。
電子時計１は、図２に示すように、位置情報衛星受信装置（ＧＰＳモジュール）１０、制御部（ＣＰＵ）２０、記憶装置３０、入力装置４０、表示装置５０、二次電池６０、ソーラーパネル７０、外部記憶装置（記憶部）８０を備えている。記憶装置３０は、ＲＡＭ３１及びＲＯＭ３２を備える。これらの各装置は、データバス９０等を介してデータを通信している。
【００３９】
入力装置４０は、前記Ａボタン４１、Ｂボタン４２、りゅうず４３と、これらの操作を検出する入力検出部とで構成されている。なお、後述するように、Ｂボタン４２は、サマータイムを実施状態および未実施状態に切り換える切換操作部として機能する。
表示装置５０は、４本の指針５１〜５４と、これの指針５１〜５４を駆動するモーターおよび輪列とを備えて構成されている。
【００４０】
二次電池６０は、発電装置であるソーラーパネル７０で発電された電力を蓄積可能な電池であり、この二次電池６０及びソーラーパネル７０で電子時計１に電力を供給する電源が構成されている。
【００４１】
［位置情報衛星受信装置の構成］
位置情報衛星受信装置（ＧＰＳ装置）１０は、ＧＰＳアンテナ１１を備え、ＧＰＳアンテナ１１を介して受信した衛星信号を処理して時刻情報や位置情報を取得するものである。
ＧＰＳアンテナ１１は、前述の複数のＧＰＳ衛星からの衛星信号を受信するパッチアンテナなどで構成される。このＧＰＳアンテナ１１は文字板５の裏面側に配置され、電子時計１の表面ガラス及び文字板５を通過した電波を受信するように構成されている。
このため、文字板５及び表面ガラスは、ＧＰＳ衛星から送信される衛星信号である電波を通す材料で構成されている。例えば、文字板５はプラスチックで構成されている。
【００４２】
そして、位置情報衛星受信装置１０は、ＧＰＳ衛星から送信される衛星信号を受信してデジタル信号に変換するＲＦ（Radio Frequency）部と、受信信号の相関判定を行って同期を行うＢＢ部（ベースバンド部）と、ＢＢ部で復調された航法メッセージ（衛星信号）から時刻情報や測位情報を取得する情報取得部とを備える。
【００４３】
ＲＦ部は、バンドパスフィルター、ＰＬＬ回路、ＩＦフィルター、ＶＣＯ（Voltage Controlled Oscillator）、ＡＤＣ（Ａ／Ｄ変換器）、ミキサー、ＬＮＡ（Low Noise Amplifier）、ＩＦアンプ等を備えている。
そして、バンドパスフィルターで抜き出された衛星信号は、ＬＮＡで増幅された後、ミキサーでＶＣＯの信号とミキシングされ、ＩＦ（Intermediate Frequency：中間周波数）にダウンコンバートされる。ミキサーでミキシングされたＩＦは、ＩＦアンプ、ＩＦフィルターを通り、ＡＤＣ（Ａ／Ｄ変換器）でデジタル信号に変換される。
【００４４】
ＢＢ部は、ＧＰＳ衛星で送信時に使用されたものと同一のＣ／Ａコードからなるローカルコードを生成するローカルコード生成部と、前記ローカルコードとＲＦ部から出力される受信信号との相関値を算出する相関部とを備える。
そして、前記相関部で算出された相関値が所定の閾値以上であれば、受信した衛星信号に用いられたＣ／Ａコードと生成したローカルコードが一致していることになり、衛星信号を捕捉（同期）することができる。このため、受信した衛星信号を、前記ローカルコードを用いて相関処理することで、航法メッセージを復調することができる。
【００４５】
情報取得部は、ＢＢ部で復調した航法メッセージから時刻情報や位置情報を取得する。すなわち、ＧＰＳ衛星から送信される航法メッセージには、プリアンブルデータ及びＨＯＷ（Handover Word）のＴＯＷ（Time of Week、「Ｚカウント」ともいう）、各サブフレームデータが含まれている。サブフレームデータは、サブフレーム１からサブフレーム５まであり、各サブフレームには、例えば、週番号データや衛星健康状態データを含む衛星補正データ等や、エフェメリス（ＧＰＳ衛星毎の詳細な軌道情報）や、アルマナック（全ＧＰＳ衛星の概略軌道情報）などのデータが含まれている。
従って、情報取得部は、受信した航法メッセージから所定のデータ部分を抽出し、時刻情報や位置情報を取得している。このため、本実施形態では、位置情報衛星受信装置１０によって受信部が構成されている。
【００４６】
［記憶装置］
記憶装置３０のＲＯＭ３２には、制御部２０で実行するプログラム等が記憶されている。一方、記憶装置３０のＲＡＭ３１には、受信により取得した時刻情報や位置情報などが記憶される。
【００４７】
［外部記憶装置］
記憶部である外部記憶装置８０は、データを書き換え可能な記憶装置であり、図３に示すように、タイムゾーン設定テーブル８１と、サマータイム実施ルールテーブル８２と、タイムゾーン設定修正テーブル８３とが記憶されている。
【００４８】
［制御部の構成］
制御部（ＣＰＵ）２０は、ＲＯＭ３２に記憶されたプログラムにより各種制御を行う。例えば、制御部２０は、Ａボタン４１などの入力装置４０によって受信操作が行われたことを検出した場合や、定時受信時刻が設定されている場合にその受信時刻になった場合に、位置情報衛星受信装置１０を駆動して衛星信号の受信処理を実行する受信制御手段として機能する。
また、制御部２０は、図示略の水晶振動子などの基準信号源（発振回路）からの基準信号を利用して内部時刻を更新して現時刻を計時する計時手段として機能する。
【００４９】
制御部２０は、前記位置情報衛星受信装置１０で取得した位置情報（経度・緯度）に基づき、外部記憶装置８０に記憶されたタイムゾーン設定テーブル８１を利用して、現在地の時差データを取得するため、位置情報設定部として機能する。また、制御部２０は、位置情報衛星受信装置１０で取得した時刻情報（ＧＰＳ時刻＋うるう秒）と取得された時差データに基づいて、現在地における現在時刻（現時刻）を算出する現在地時刻算出手段として機能する。
そして、制御部２０は、基準信号を利用して計時している内部時刻を、算出した現時刻に更新する。従って、内部時刻は、衛星信号を受信した場合、受信データに基づいて正しい時刻に自動的に修正されることになる。
【００５０】
制御部２０は、後述するように、サマータイム自動モード（ＤＳＴ自動モード）と、サマータイム手動モード（ＤＳＴ手動モード）とを実行可能に構成されている。
ＤＳＴ自動モードは、サマータイム実施ルールに従って、自動的にサマータイムを適用つまりサマータイム実施状態および未実施状態を自動的に切り換えるモードである。このため、制御部２０は、タイムゾーン設定テーブル８１、サマータイム実施ルールテーブル８２を用いて、前記現時刻をサマータイムに自動的に更新する。そして、制御部２０は、更新した現時刻を指針５１〜５３で表示する。
ＤＳＴ手動モードは、切換操作部であるＢボタン４２の押下つまり切換操作に従って、サマータイムの適用（実施状態）、非適用（未実施状態）を設定するモードである。
また、制御部２０は、後述するように、切換操作部であるＢボタン４２でサマータイムの切換操作が行われるタイミングによって、サマータイム実施ルールテーブル８２およびタイムゾーン設定修正テーブル８３を更新してサマータイム実施ルールを修正する。
【００５１】
［タイムゾーン設定テーブルのデータ構造］
次に、図４を参照して前記タイムゾーン設定テーブル８１のデータ構造について説明する。
タイムゾーンは、各国や地域における標準時を、協定世界時（ＵＴＣ）との時差で表示したものである。したがって、理論的には経度によって設定される。但し、実際の時差領域の境界線は、国境であることが多い。また、夏時間（サマータイム、デイライトセービングタイム）も、通常、国毎に設定されるが、一部の国では地域によって実施の有無が設定されることもある。
【００５２】
このため、タイムゾーン設定テーブル８１には、図４に示すように、地域を特定する領域情報と、タイムゾーン（時差）と、サマータイム実施ルールの種類を示すＤＳＴ番号とが関連付けて記憶されている。各地域は、２本の経線と２本の緯線で囲まれる矩形形状の領域とされている。このため、地域を特定する領域情報は、領域の北西端位置の座標（緯度、経度）と、領域の南東端位置の座標（移動、経度）とで構成されている。
【００５３】
タイムゾーンの欄には、協定世界時（ＵＴＣ）に対する時差が記憶されている。
ＤＳＴ番号（夏時間番号）には、前記領域情報で特定される国や地域におけるサマータイム実施ルールを特定するための番号が記憶されている。このＤＳＴ番号は、図５に示すサマータイム実施ルールテーブル８２のＤＳＴ番号に対応している。
【００５４】
［サマータイム実施ルールテーブルのデータ構造］
次に、図５を参照して、サマータイム実施ルールテーブル８２のデータ構造について説明する。
サマータイム実施ルールテーブル８２には、ＤＳＴ番号と、ＤＳＴ開始およびＤＳＴ終了のデータと、ＤＳＴ時差とが記憶されている。
【００５５】
ここで、サマータイム実施ルールテーブル８２のＤＳＴ番号「０」は、サマータイムを実施していない地域のために用意されたデータである。このため、ＤＳＴ開始およびＤＳＴ終了は「なし」とされ、ＤＳＴ時差も「＋０時間」とされている。
従って、タイムゾーン設定テーブル８１では、サマータイムを実施していない地域（例えば日本）は、ＤＳＴ番号に「０」が記憶されている。
【００５６】
ＤＳＴ開始には、サマータイム実施期間の開始時が記憶されている。ＤＳＴ終了には、サマータイム実施期間の終了時が記憶されている。これらは、サマータイム制度を実施している各国での開始時および終了時のパターンに基づいて記憶されている。
例えば、アメリカ合衆国において採用されているサマータイムは、３月第２日曜午前２時から１１月第１日曜午前２時である。このため、アメリカ合衆国の地域では、ＤＳＴ番号は「２」が記憶される。
また、サマータイムが決まった日付で設定される地域もある。この場合、ＤＳＴ開始およびＤＳＴ終了には、それぞれサマータイムの開始日時（例えば、３月２７日２２：００）、終了日時（例えば、９月２７日２３：００）を記憶すればよい。
【００５７】
サマータイム実施ルールテーブル８２のＤＳＴ時差には、サマータイムに補正するための時間（通常は＋１時間）が記憶されている。
【００５８】
［タイムゾーン設定修正テーブルのデータ構造］
タイムゾーン設定修正テーブル８３は、図６に示すように、タイムゾーン設定テーブル８１と同じデータ構造を備えており、特定の地域のサマータイム実施ルールが変更された場合に、その地域を示す領域情報（緯度、経度）と、タイムゾーン（時差）と、修正ＤＳＴ番号とが記憶される。
【００５９】
なお、本実施形態では、タイムゾーン設定テーブル８１とは別に、タイムゾーン設定修正テーブル８３を設けたのは以下の理由からである。
すなわち、タイムゾーン設定テーブル８１では、北西端および南東端の２つの座標で特定される矩形領域毎に、タイムゾーンとＤＳＴ番号とを記憶している。タイムゾーンの精度を高めるためには、矩形領域を小さくすればよい。一方、矩形領域を小さくすると、データ数が増大する。例えば、１つの矩形領域を、緯度および経度が０．２５度程度のサイズで構成した場合、全世界のタイムゾーンをカバーするには約１００万個のデータが必要となる。
電子時計１のＲＡＭ３１の容量は大きくないため、タイムゾーン設定テーブル８１をＲＡＭ３１に記憶することはできない。このため、本実施形態では、電子時計１に外部記憶装置８０を設けているが、腕時計に組み込める外部記憶装置８０の容量にも制約があるため、タイムゾーン設定テーブル８１を圧縮して保存している。したがって、タイムゾーン設定テーブル８１の内容を直接修正することが難しく、別途、タイムゾーン設定修正テーブル８３を設けている。
【００６０】
［受信処理］
次に、本実施形態の電子時計１において、衛星信号を受信して時刻を修正する手順について説明する。
［測位処理］
電子時計１では、衛星信号を受信して取得したＵＴＣに対し、現在地の時刻に修正するために時差情報が必要である。
このため、電子時計１が初期化された後などで現在地の情報がＲＡＭ３１に記憶されていない場合は、測位処理が行われる。
また、ユーザーが手動で測位受信操作を行った場合も測位処理が行われる。これは、ユーザーが、旅行などで海外などのタイムゾーンの異なる地域に移動した場合に、現地時刻に修正する必要があるためである。
【００６１】
このため、電子時計１の位置情報衛星受信装置１０は、Ａボタン４１の押下で受信を開始して、位置情報衛星から時刻及び位置情報を取得する。
制御部２０は、取得した位置情報（現在位置の緯度、経度）が含まれる領域情報をタイムゾーン設定テーブル８１で検索し、その領域情報に対するタイムゾーンとＤＳＴ番号とを、タイムゾーン設定テーブル８１から取得してＲＡＭ３１に記憶する。
また、制御部２０は、取得した位置情報が含まれる領域情報がタイムゾーン設定修正テーブル８３に存在するかを検索し、存在する場合には、その領域情報に対するタイムゾーンと修正ＤＳＴ番号とを、タイムゾーン設定修正テーブル８３から取得してＲＡＭ３１に記憶する。
【００６２】
タイムゾーン設定テーブル８１は、電子時計１の工場出荷時の初期データである。
そして、後述する手動修正操作によってタイムゾーン設定情報が修正された場合は、前述したように、タイムゾーン設定テーブル８１を直接変更せずに、タイムゾーン設定修正テーブル８３に修正内容を追加している。
このため、制御部２０は、タイムゾーン設定テーブル８１に加えてタイムゾーン設定修正テーブル８３をも検索し、ＤＳＴ番号、修正ＤＳＴ番号を取得する。
【００６３】
制御部２０は、ＲＡＭ３１に記憶した修正ＤＳＴ番号又はＤＳＴ番号が、「０」以外の場合は、ＤＳＴ番号に対するサマータイム実施ルール（ＤＳＴ開始およびＤＳＴ終了のデータ）を、サマータイム実施ルールテーブル８２から取得してＲＡＭ３１に記憶する。
【００６４】
制御部２０は、位置情報衛星から取得した時刻情報（ＵＴＣ時刻）に、ＲＡＭ３１に記憶したタイムゾーン（時差）を適用し、現在地の時刻（現地時刻）を求める。
次に、制御部２０は、求めた現地時刻が、ＲＡＭ３１に記憶したサマータイム実施ルールで特定されるサマータイム実施期間中であれば、現地時刻にサマータイム用の時差を加えて現地時刻とする。このとき、サマータイム実施ルールは、修正ＤＳＴ時差が取得されていれば、その修正ＤＳＴ番号に対するサマータイム実施ルールを適用する。
【００６５】
制御部２０は、表示装置５０によって、修正された現地時刻を指針５１〜５３で表示した後は、現在時刻の表示を継続する。また、サマータイム実施期間になると、指針５４でＤＳＴオンを一定期間（例えば１日）指示し、サマータイム未実施期間になると、指針５４でＤＳＴオフを一定期間（例えば１日）指示する。したがって、サブダイヤル５Ａおよび指針５４は、サマータイムの実施開始後と実施終了後の一定期間、サマータイムの切換が実施されたことを表示するサマータイム切換表示部を構成する。
【００６６】
なお、りゅうず４３等の操作によって、タイムゾーンを選択して、あらかじめ時差情報がＲＡＭ３１に記憶されており、測位処理を行う必要がない場合もある。
この場合、位置情報衛星受信装置１０は、１つ以上の位置情報衛星を捕捉して衛星信号を受信することで時刻情報を取得し、ＲＡＭ３１に記憶されたタイムゾーンを適用して現地時刻を求める。
また、制御部２０は、衛星信号を受信できない場合には、過去に受信し、水晶発振器等が出力する基準クロックで計時される内部時刻に、タイムゾーンを適用して現地時刻を求める。
【００６７】
［サマータイムのオン、オフ操作］
次に、ユーザーが切換操作部であるＢボタン４２を押した際のＤＳＴオン状態、ＤＳＴオフ状態の切換処理を、図７のフローチャートに基づいて説明する。
通常時刻の通常表示中に、切換操作部であるＢボタン４２が押された場合、制御部２０は、ＤＳＴ手動モードに移行する（ステップＳ１）。
なお、Ｂボタン４２によるＤＳＴオンやＤＳＴオフの状態の切換操作は、現在時刻の通常表示中ではなく、りゅうず４３や、Ａボタン４１等の操作で、サマータイムの切換操作モードに移行してから、Ｂボタン４２を押して行うようにしてもよい。
次に、制御部２０は、Ｂボタン４２が押された際に、ＤＳＴオン中であるか否かを判定する（ステップＳ２）。すなわち、切換操作部であるＢボタン４２は、ＤＳＴオン（サマータイム実施期間中）と、ＤＳＴオフ（サマータイム未実施期間中）とを交互に切り換えるため、制御部２０は、現在の設定がＤＳＴオンであるかＤＳＴオフであるかを判定する。
【００６８】
［ＤＳＴオン状態への変更操作］
制御部２０は、ステップＳ２で「ＮＯ」と判定した場合は、ＤＳＴオン（サマータイム実施期間中）にする（ステップＳ３）。
次に、制御部２０は、Ｂボタン４２が押されたタイミング（現在時刻）と、ＤＳＴ開始との差が一定期間以内であるかを判定する（ステップＳ４）。ここで、前記一定期間は、Ｂボタン４２の切換操作の時期が、サマータイム実施期間の変更である可能性が高いと判定できる期間であればよく、過去の各国でのサマータイム実施期間の変更実績を参考に設定すれば良い。本実施形態では、過去のサマータイム実施期間の変更が、１ヶ月以内であることが多かった点を踏まえて、一定期間を１ヶ月に設定している。
【００６９】
したがって、制御部２０は、ＤＳＴオフ状態でＢボタン４２が押された場合、Ｂボタン４２が押されたタイミング（現在時刻）と、ＤＳＴ開始のデータとの差（実施期間変更差分）が一定期間以内であれば（ステップＳ４でＹＥＳ）、サマータイム実施期間のＤＳＴ開始のデータを所定の条件に基づいて修正する（ステップＳ５）。
このとき、制御部２０は、ＲＡＭ３１に修正ＤＳＴ番号が記憶されていれば、先に修正ＤＳＴ番号に対するＤＳＴ開始のデータと現在時刻とを比較する。その結果が一定期間を超えた場合は、制御部２０は、元のＤＳＴ番号に対するＤＳＴ開始のデータと現在時刻とを比較する。つまり、修正ＤＳＴ番号と元ＤＳＴ番号のいずれかの実施期間変更差分が一定期間（例えば、１ヶ月）以内であれば、制御部２０は、ＤＳＴ開始のデータを修正する。
【００７０】
ここで、サマータイム実施期間は“３月第２日曜 02:00”から“１１月第１日曜 02:00”までのように、月、週、曜日、時刻で指定される場合が一般的である。また、過去のサマータイム実施期間の変更も、“４月第１日曜 02:00”から“３月第２日曜 02:00”へのように、週単位で変更されるのが一般的である。従って、制御部２０は、ステップＳ５において、修正対象のサマータイム実施ルールが月、週、曜日、時刻で指定されているＤＳＴ開始のデータを修正する場合、曜日と時刻は変更せず、切換操作部であるＢボタン４２が押されたタイミング（現在時刻）に基づいて、月および週のみを修正する。
【００７１】
例えば、制御部２０は、Ｂボタン４２を押してＤＳＴオン状態に変更された現在時刻が、ＤＳＴ開始から１ヶ月以内の場合は、現在のＤＳＴ開始のデータから曜日と時刻は同じままで、月、週をＢボタン４２が押された月、週に変更する。
すなわち、週が日曜日から始まると設定している場合、ＤＳＴ開始情報を、“４月第１日曜02:00”から“３月第２日曜 02:00”に変更するには、３月の第２週（第２日曜から一週間）の間にＢボタン４２を押してＤＳＴオン状態に変更すれば良い。
【００７２】
また、サマータイムの実施は、生活への影響を最小限に抑えるために夜中に行われるので、ユーザーは変更日の前日にサマータイムの修正を行う可能性もある。これに対応するために、曜日によって、実施期間の修正を現在の週にするか、次の週にするかを決めることもできる。例えば、ＤＳＴ開始が“日曜”に設定されている場合、３月第１週の土曜から３月第２週の金曜の間にＢボタン４２が押された場合は、ＤＳＴ開始情報を“３月第２日曜”と修正してもよい。
【００７３】
さらに、修正対象のサマータイム実施期間が週単位でなく、“３月２０日 00:00”のように特定日で設定されている地域もある。この場合は、制御部２０は、サマータイム実施期間のＤＳＴ開始とＤＳＴ終了の修正は、Ｂボタン４２を押してＤＳＴオフ状態、ＤＳＴオン状態の切換を行った日付で修正する。
【００７４】
制御部２０は、ステップＳ５でＤＳＴ開始のデータが修正された場合は、ユーザーの操作によってサマータイム実施期間の開始スケジュールを正しく修正できたと判断し、ＤＳＴ手動モードからＤＳＴ自動モードに設定する（ステップＳ６）。
そして、制御部２０は、現地時刻つまり基準信号で計時している内部時刻を修正する（ステップＳ７）。例えば、ステップＳ４で「ＹＥＳ」と判定され、ステップＳ５でＤＳＴ開始のデータが修正され、ステップＳ６でＤＳＴ自動モードに設定されている場合、ステップＳ７では、ＤＳＴオン状態であるため、内部時刻にＤＳＴ時差（＋１）を加算して現地時刻を修正する。
そして、制御部２０は、修正した現地時刻を指針５１〜５３で表示し、指針５４でＤＳＴオンを表示する。
【００７５】
一方、制御部２０は、ステップＳ４で「ＮＯ」と判定した場合は、ＤＳＴ開始の修正ではなく、ＤＳＴオン状態への変更が操作されたと判断し、ステップＳ７の現地時刻の修正（ＤＳＴ時差である＋１時間の修正）と、ステップＳ８の表示処理とを行う。
【００７６】
［ＤＳＴオフ状態への変更操作］
次に、ＤＳＴオン中にＢボタン４２が押された場合の制御について説明する。
制御部２０は、ＤＳＴオン中にＢボタン４２が押されると、ステップＳ２で「ＹＥＳ」と判定し、ＤＳＴオフ（サマータイム未実施期間中）にする（ステップＳ１１）。
次に、制御部２０は、Ｂボタン４２が押されたタイミング（現在時刻）と、ＤＳＴ終了の時期との差が一定期間以内であるかを判定する（ステップＳ１２）。ここで、前記一定期間は、通常は、ステップＳ４での判定に用いられる期間と同じであり、本実施形態では１ヶ月に設定している。ただし、ステップＳ４とステップＳ１２の一定期間を異ならせてもよい。例えば、ステップＳ４の一定期間を４週間とし、ステップＳ１２の一定期間を５週間としてもよい。
【００７７】
制御部２０は、ＤＳＴオン状態でＢボタン４２が押された場合、Ｂボタン４２が押されたタイミング（現在時刻）と、ＤＳＴ終了のタイミングとの差（未実施期間変更差分）が一定期間以内であれば（ステップＳ１２でＹＥＳ）、サマータイム実施期間のＤＳＴ終了のデータを所定の条件に基づいて修正する（ステップＳ１３）。
このときも、ステップＳ５と同じく、制御部２０は、ＲＡＭ３１に修正ＤＳＴ番号が記憶されていれば、先に修正ＤＳＴ番号に対するＤＳＴ終了と現在時刻とを比較し、その結果が一定期間を超えた場合は、元のＤＳＴ番号に対するＤＳＴ終了と現在時刻とを比較する。つまり、修正ＤＳＴ番号と元ＤＳＴ番号のいずれかの未実施期間変更差分が一定期間（例えば、１ヶ月）以内であれば、制御部２０は、ＤＳＴ終了のデータを修正する。
【００７８】
その後は、制御部２０は、ＤＳＴオン状態に変更された場合と同じく、ＤＳＴ自動モードとし（ステップＳ６）、現時時刻を修正する（ステップＳ７）。ステップＳ７では、ＤＳＴオンからＤＳＴオフに変更されるため、制御部２０は、現地時刻をＤＳＴ時差を除いて修正する。このため、現地時刻は、通常１時間前に修正される。
そして、制御部２０は、修正後の現地時刻とＤＳＴオフ状態とを、指針５１〜５３、指針５４を用いて表示する（ステップＳ８）。
【００７９】
一方、制御部２０は、ステップＳ１２で「ＮＯ」と判定した場合は、ＤＳＴ終了の修正ではなく、ＤＳＴオフ状態への変更のみを操作されたと判断し、ステップＳ７の現地時刻の修正（ＤＳＴオンからＤＳＴオフへの修正）と、ステップＳ８の表示処理とを行う。
【００８０】
［サマータイム実施ルールテーブルおよびタイムゾーン設定修正テーブルの更新］
制御部２０は、サマータイム実施期間のＤＳＴ開始とＤＳＴ終了とのデータの修正が終わると、図５に示すサマータイム実施ルールテーブル８２に、修正後のＤＳＴ開始およびＤＳＴ終了のデータを追加し、新しいＤＳＴ番号を追加する。図５では、ＤＳＴ番号「１５」が追加された新しいサマータイム実施ルールである。
このＤＳＴ番号は、タイムゾーン設定修正テーブル８３では修正ＤＳＴ番号として記憶されるため、制御部２０は、追加したＤＳＴ番号を修正ＤＳＴ番号として取得しておく。
また、ＤＳＴ時差データは、修正前のＤＳＴ番号に対応するＤＳＴ時差データをそのまま登録する。
ただし、制御部２０は、修正後のＤＳＴ開始データおよびＤＳＴ終了データと、同じ実施ルールが既に存在する場合は、サマータイム実施ルールを追加せず、そのＤＳＴ番号を、修正ＤＳＴ番号として取得しておく。
【００８１】
次に、制御部２０は、図６に示すタイムゾーン設定修正テーブル８３に、位置情報（領域情報）と、タイムゾーンと、修正ＤＳＴ番号とを追加する。なお、制御部２０は、タイムゾーン設定修正テーブル８３に同じ領域情報が既に存在すれば、すなわち、以前にタイムゾーン実施ルールを修正した領域を再度修正する場合は、その領域の修正ＤＳＴ番号のみ修正する。
【００８２】
また、制御部２０は、現在位置に対して、タイムゾーン設定テーブル８１の地域ごとのＤＳＴ番号と、タイムゾーン設定修正テーブル８３の同じ地域の修正ＤＳＴ番号が一致した場合、現在位置に対するサマータイム実施ルールが初期設定に戻されたことになるため、タイムゾーン設定修正テーブル８３の同一地域のデータを削除する。
【００８３】
以下、サマータイム実施ルールの具体的な修正例を、図８〜図１１を用いて説明する。
［修正例１：ＤＳＴ開始を早める修正例］
図８に示すように、ＤＳＴ開始が“４月第１日曜 02:00”から”３月第２日曜 02:00”に変更された場合、修正前はＤＳＴオフ期間中である３月第２週目のどこかでＢボタン４２が押されると、制御部２０は、ＤＳＴをオフからオンに切り換える。また、ＤＳＴがオンにされたタイミング（現在時刻）が、現在のＤＳＴ開始である４月第１日曜から一定期間（１ヶ月）以内であるため、制御部２０は、サマータイム実施ルールのＤＳＴ開始を”３月第２日曜 02:00”に修正する。
【００８４】
［修正例２：ＤＳＴ開始を遅らせる修正例］
図９に示すように、ＤＳＴ開始が”３月第２日曜 02:00”から“４月第１日曜 02:00”に変更された場合、修正前は通常ＤＳＴ自動モードであるため、制御部２０は、３月第２日曜の午前２時になると、一旦、ＤＳＴオンに自動的に切り換える。
その後、ユーザーが、３月第２週目（ＤＳＴオン期間）でＢボタン４２を押した場合、制御部２０は、ＤＳＴをオンからオフに切り換える。このとき、ＤＳＴオフへの切換操作のためにＢボタン４２が押されたタイミング（現在時刻）と、ＤＳＴ終了との差が一定期間（１ヶ月）を超えるので、制御部２０は、サマータイム実施期間のＤＳＴ終了のデータは修正しない。その後、ＤＳＴオフ状態とされている４月第１週目でのどこかで、ユーザーがＢボタン４２を押してＤＳＴをオフからオンに切り換えれば、現在のＤＳＴ開始である３月第２日曜から一定期間（１ヶ月）以内であるため、制御部２０は、サマータイム実施ルールのＤＳＴ開始を”４月第１日曜 02:00”に修正する。
【００８５】
［修正例３：ＤＳＴ終了を早める修正例］
図１０に示すように、ＤＳＴ終了が“１１月第１日曜 02:00”から”１０月第２日曜 02:00”に変更された場合、１０月第２週目（ＤＳＴオン期間）のどこかでＢボタン４２が押されると、制御部２０は、ＤＳＴをオンからオフに切り換える。このとき、ＤＳＴがオフにされたタイミング（現在時刻）が、現在のＤＳＴオフである１１月第１日曜から一定期間（１ヶ月）以内であるため、制御部２０は、サマータイム実施ルールのＤＳＴ終了を”１０月第２日曜 02:00”に修正する。
【００８６】
［修正例４：ＤＳＴ終了を遅らせる修正例］
図１１に示すように、ＤＳＴ終了が”１０月第２日曜 02:00”から“１１月第１日曜 02:00”に変更された場合、修正前は通常ＤＳＴ自動モードであるため、制御部２０は、１０月第２日曜の午前２時になると、一旦、ＤＳＴオフに自動的に切り換える。
その後、ユーザーが、１０月第２週目（ＤＳＴオフ期間）でＢボタン４２を押した場合、制御部２０は、ＤＳＴをオフからオンに切り換える。このとき、ＤＳＴオンへの切換操作のためにＢボタン４２が押されたタイミング（現在時刻）と、ＤＳＴ開始との差が一定期間（１ヶ月）を超えるので、制御部２０は、サマータイム実施期間のＤＳＴ開始のデータは修正しない。その後、ＤＳＴオン状態とされている１１月第１週目でのどこかで、ユーザーがＢボタン４２を押してＤＳＴをオンからオフに切り換えれば、現在のＤＳＴ終了である１０月第２日曜から一定期間（１ヶ月）以内であるため、制御部２０は、サマータイム実施ルールのＤＳＴ終了を”１１月第１日曜 02:00”に修正する。
【００８７】
［修正例５：サマータイム廃止の修正例］
サマータイムが廃止された場合は、修正前のサマータイム実施ルールに従い、ＤＳＴが自動的にオンされた場合に、ユーザーがＢボタン４２を押すと、制御部２０は、図７のステップＳ２でＤＳＴ手動モードに切り換え、ステップＳ１１でＤＳＴオフに切り換える。
制御部２０は、Ｂボタン４２が押されたタイミング（現在時刻）と、ＤＳＴ終了との差が一定期間以上となるため（ステップＳ１２でＮＯ）、サマータイム実施ルールのＤＳＴ終了は修正せず、ＤＳＴ自動モードへの切換も行わない。
このため、その後、ユーザーがＢボタン４２を押してＤＳＴオンに切り換える操作を行わなければ、ＤＳＴ手動モードと、ＤＳＴオフ状態とが保持される。このため、自動的にＤＳＴがオンに切り替わることがなく、サマータイムも実施されることがない。
【００８８】
［第１実施形態の効果］
第１実施形態によれば、次の効果がある。
電子時計１に、サマータイムを実施状態または未実施状態に切り換える切換操作部としてＢボタン４２を設け、制御部２０は、Ｂボタン４２によるサマータイムの切換操作が行われたタイミングに基づいて、サマータイム実施ルールを修正する。このため、電子時計１のユーザーは、サマータイムの開始時期や終了時期に合わせてＢボタン４２を操作するだけで、サマータイム実施ルールを容易に修正できる。
特に、Ｂボタン４２によるＤＳＴオン、ＤＳＴオフの切換操作のみでサマータイムの実施期間を修正できるので、従来のように、ユーザー操作で、サマータイムの実施期間（開始月、開始週、開始曜日、開始時、終了月、終了週、終了曜日、終了時）を順次修正する必要もなく、複雑な操作が不要になり、ユーザー利便性を向上させることができる。このため、腕時計のように、限られた表示装置５０と入力装置４０とを備えた電子時計１においても、サマータイム実施ルールを容易に修正できる。
【００８９】
本実施形態では、ユーザーがサマータイム実施ルールの変更に容易に対応することができるため、電子時計１の購入後にサマータイムが変更された場合でも、即座に対応でき、正確な現地時刻を表示することができる。
【００９０】
また、Ｂボタン４２の切換操作で、サマータイム実施ルールを修正するのは、切換操作のタイミングが、修正前のサマータイム実施ルールの開始時または終了時から一定期間（例えば一ヶ月）内である場合に限定しているので、ユーザーがサマータイム実施ルールを修正するためにＢボタン４２を操作した可能性が高い場合のみ、実施ルールを修正するため、正しく修正できる。
また、前記一定期間外でユーザーが誤って切換操作を行っても、ＤＳＴオン、ＤＳＴオフの手動切換で表示時刻は修正されるが、サマータイム実施ルール自体は修正されることがないため、再度、Ｂボタン４２を押すことで、容易に正しい時刻表示に戻すこともできる。したがって、ユーザーが意図せずにサマータイム実施ルールを変更してしまうことも防止できる。
【００９１】
制御部２０は、サマータイム実施ルールのＤＳＴ開始、ＤＳＴ終了のデータが、月、週、曜日、時刻で指定されている場合、Ｂボタン４２で切換操作が行われたタイミングで月および週を特定し、曜日および時刻は修正前と同じに設定しているので、サマータイム実施ルールを容易に修正することができる。
また、Ｂボタン４２を操作するタイミングは、曜日や時刻には影響しないため、ユーザーは、修正後のサマータイム実施ルールの週が一致する一週間の間にＢボタン４２を操作すれば良く、ユーザーの利便性を向上できる。
【００９２】
電子時計１は、位置情報衛星受信装置１０を備えており、制御部２０は、位置情報衛星受信装置１０で受信した衛星信号に基づいて位置情報を取得し、この位置情報によってタイムゾーンとサマータイム実施ルールとを特定して時刻を表示できる。このため、電子時計１のユーザーは、旅行などで海外に移動した場合でも、その場所で衛星信号の受信処理を実行すれば、タイムゾーンやサマータイムの実施期間などを電子時計１が自動的に判断して、正しい時刻に自動的に修正するため、利便性を高めることができる。
【００９３】
制御部２０は、Ｂボタン４２でサマータイム実施ルールを修正した場合は、ＤＳＴ自動モードに設定されるため、電子時計１は、修正したルールに基づいて、自動的にサマータイムを適用して時刻表示を修正することができる。このため、ユーザーは、サマータイム実施ルールの修正後、改めてサマータイム自動モードに設定する操作を行う必要が無く、利便性を向上できる。
【００９４】
サマータイムの切換が実施されると、指針５４がサブダイヤル５ＡのＤＳＴオン、または、ＤＳＴオフを一定期間指示するため、ユーザーは、サマータイム実施期間になったか、サマータイム実施期間が終了したかを容易に確認でき、利便性を向上できる。
さらに、指針５４は、曜日、パワーリザーブ、受信モード等の各種モードの表示に兼用されているので、指針の数を増やすことなく、様々な情報を表示できる。
【００９５】
また、外部記憶装置８０に、タイムゾーン設定テーブル８１、サマータイム実施ルールテーブル８２の他に、タイムゾーン設定修正テーブル８３を記憶し、サマータイム実施ルールが修正された場合に、タイムゾーン設定テーブル８１を修正せずに、タイムゾーン設定修正テーブル８３に修正した領域の情報を記憶しているので、タイムゾーン設定テーブル８１が圧縮されたデータで特定の地域のデータ修正が困難な場合にも対応できる。
さらに、ユーザーの操作で修正した地域のデータは、タイムゾーン設定修正テーブル８３にまとめて記憶されるため、ユーザーが修正されたデータを削除することで、容易に元のデータに戻すことができる。
【００９６】
［第２実施形態］
次に本発明の第２実施形態について説明する。
第２実施形態の電子時計１Ｂは、図１２に示すように、第１実施形態の電子時計１と同様に、制御部２０、記憶装置（記憶部）３０、入力装置４０、表示装置５０、二次電池６０、ソーラーパネル７０を備えている。すなわち、電子時計１Ｂは、位置情報衛星受信装置１０と外部記憶装置８０を備えていない点以外は電子時計１と同じ構成である。
電子時計１Ｂでは、外部記憶装置８０を備えていないため、記憶装置３０を各種テーブルを記憶する記憶部として用いている。すなわち、図１３に示すように、記憶装置３０のＲＯＭ３２には、タイムゾーン設定テーブル８１Ｂが記憶されている。また、記憶装置３０のＲＡＭ３１には、サマータイム実施ルールテーブル８２Ｂと、タイムゾーン設定修正テーブル８３Ｂが記憶されている。
【００９７】
タイムゾーン設定テーブル８１Ｂは、図１４に示すように、都市番号と、都市名と、タイムゾーンと、ＤＳＴ番号とが対応付けられて記憶されている。
都市番号（都市Ｎｏ．）は、都市名に対応した通し番号であり、ＵＴＣからの時差の順番で設定してもよいし、使用頻度の高い都市名の順番で設定してもよい。
都市名は、対応するタイムゾーンに該当する代表的な都市名であり、第１実施形態の領域情報の代わりに、位置情報を特定するための地理情報として用いられる。
タイムゾーンは、ＵＴＣとの時差を示す情報である。例えば、「ＬＯＮＤＯＮ」の「＋０」は、ＵＴＣとの時差が０時間であることを示し、「ＴＯＫＹＯ」の「＋９」は、ＵＴＣとの時差が＋９時間であることを示し、「ＮＥＷ  ＹＯＲＫ」の「−５」は、ＵＴＣとの時差が−５時間であることを示す。
現在、タイムゾーンは、−１２時間から＋１４時間まで約４０個の時差が設定されており、図では省略しているが、タイムゾーン設定テーブル８１Ｂには各タイムゾーンが記憶されている。
このように、タイムゾーン設定テーブル８１Ｂは約４０個のデータで構成され、約１００万個のデータが必要な第１実施形態のタイムゾーン設定テーブル８１に比べてデータ量も格段に小さい。このため、タイムゾーン設定テーブル８１Ｂは、ＲＯＭ３２に記憶することができる。
【００９８】
ＤＳＴ番号は、各タイムゾーンのサマータイム実施ルールの適用情報を示すものである。なお、複数の国で同じタイムゾーン（時差）を用いながら、サマータイムの実施ルールが異なる可能性がある。この場合は、後述するように、ユーザーがＢボタン４２でサマータイムの設定（オン、オフ）を手動操作で切り換えることで、表示装置５０の表示時刻を現地時刻に合わせることができる。
【００９９】
サマータイム実施ルールテーブル８２Ｂは、図１５に示すように、第１実施形態のサマータイム実施ルールテーブル８２と同一のものであるため、説明を省略する。
【０１００】
タイムゾーン設定修正テーブル８３Ｂは、図１６に示すように、第１実施形態のタイムゾーン設定修正テーブル８３と同様に、サマータイム実施ルールが修正された場合に、その修正内容が記憶されるものである。
このため、タイムゾーン設定修正テーブル８３Ｂは、位置情報を特定するための地理情報である都市名に対応する都市番号（都市Ｎｏ．）と、都市番号に対応するタイムゾーン（ＵＴＣに対する時差）と、修正ＤＳＴ番号とが記憶されている。なお、都市番号（都市Ｎｏ．）と都市名とは対応しているため、タイムゾーン設定修正テーブル８３Ｂにおいて、都市番号の代わりに都市名を用いてもよい。
【０１０１】
電子時計１Ｂでは、入力装置４０で所定の操作を行ってタイムゾーン設定モードに移行した場合、りゅうず４３やＡボタン４１、Ｂボタン４２を操作して指針５１を移動することで都市名を選択できる。例えば、りゅうず４３を２段目に引き出してタイムゾーン設定モードに移行した後、りゅうず４３を回転したり、Ａボタン４１やＢボタン４２を押すことで指針５１を各タイムゾーンを指示する位置に順次移動し、選択したい都市名を指示する位置でりゅうず４３を２段目から１段目や０段目に押し込むことで、都市名の選択が確定する。
また、都市名で選択したタイムゾーンのＤＳＴ番号を修正する場合、第１実施形態と同様に、Ｂボタン４２を押してタイムゾーンのＤＳＴオン、ＤＳＴオフを切り換えたタイミングによって、サマータイム実施ルールを修正すればよい。この場合、制御部２０は、第１実施形態と同じく、サマータイム実施ルールテーブル８２Ｂに修正したＤＳＴ開始、ＤＳＴ終了のデータと、ＤＳＴ番号とを記憶し、タイムゾーン設定修正テーブル８３に、選択した都市名に対応する都市番号と、タイムゾーンと、修正ＤＳＴ番号とを記憶する。
【０１０２】
したがって、第２実施形態では、ダイヤルリング３の記号５６および外装ケース２の都市情報５７により位置情報を特定する地理情報が表示された地理情報表示部が構成される。
また、記号５６および都市情報５７を指示する指針５１により、地理情報を指示可能な指針が構成され、指針５１を移動するりゅうず４３やＡボタン４１、Ｂボタン４２により、指針を移動操作可能な指針操作部が構成されている。
そして、位置情報設定部である制御部２０は、指針操作部によって指示された地理情報を、タイムゾーンやサマータイム実施ルールに対応する位置情報として設定する。
【０１０３】
［第２実施形態の効果］
電子時計１Ｂでは、記号５６や都市情報５７等の地理情報を、りゅうず４３等の指針操作部で指針５１を移動して指示することで位置情報を設定しているので、位置情報衛星の受信装置を備えていない電子時計１Ｂにおいても、ユーザーの操作で位置情報を設定できる。そして、電子時計１Ｂの制御部２０は、設定された位置情報に基づいて、タイムゾーンやサマータイムの実施期間などを自動的に判断して、正しい時刻に自動的に修正でき、利便性を高めることができる。
【０１０４】
また、位置情報を取得できない世界時計である電子時計１Ｂにおいても、サマータイム実施ルールの修正を行うことができ、第１実施形態と同様の効果を奏することができる。
また、都市情報５７等で設定された同一のタイムゾーンに、複数の国等が含まれており、複数のサマータイム実施ルールが存在する場合にも、Ｂボタン４２によるＤＳＴオン、ＤＳＴオフの切換操作のみでサマータイムの実施期間を修正するので、ユーザー利便性を向上させることができる。また、サマータイム変更に容易に対応することで、正確な現地時刻を表示することができる。
【０１０５】
［第３実施形態］
次に本発明の第３実施形態について説明する。
第３実施形態は、第１実施形態の電子時計１において、サマータイム未実施地域でサマータイムが導入された場合に、ユーザーが手動操作でサマータイム実施ルールを設定する場合の手動設定方法が追加されたものである。このため、サマータイム導入時の手動設定方法に関し、図１７に基づいて説明する。なお、図１７において、第１実施形態の図７と同じ処理には同一符号を付し、説明を簡略または省略する。
【０１０６】
サマータイムが未設定の地域が選択されている状態で、Ｂボタン４２が押されると、制御部２０は、サマータイム実施ルールを手動操作で設定するＤＳＴ手動モードに移行する（ステップＳ１）。次に、制御部２０は、Ｂボタン４２が押された際に、ＤＳＴオン状態中であるか否かを判定する（ステップＳ２）。
【０１０７】
［ＤＳＴオン状態への変更操作］
制御部２０は、ステップＳ２で「ＮＯ」と判定した場合は、ＤＳＴオン（サマータイム実施期間中）にする（ステップＳ３）。したがって、サマータイムが未実施の地域で最初にＢボタン４２が押された場合は、ステップＳ２で「ＮＯ」と判定され、ステップＳ３でＤＳＴオンとされる。
次に、制御部２０は、ＤＳＴ開始のデータが存在するか否かを判定する（ステップＳ２１）。サマータイム未実施地域の場合、ＤＳＴ開始のデータは存在しないので、制御部２０は、ステップＳ２１で「ＹＥＳ」と判定する。
【０１０８】
制御部２０は、現在時刻（Ｂボタン４２が押された時刻）がＤＳＴ開始の有効期間内であるかを判定する（ステップＳ２２）。
ここで、ＤＳＴ開始の有効期間とは、サマータイムが開始される可能性がある時期を示す。例えば、現在地が北半球の場合、サマータイムは、通常、３〜４月に開始されるので、ＤＳＴ開始の有効期間も３月から４月（例えば、３月１日０時から４月３０日２４時まで）等に設定すれば良い。同様に、現在地が南半球の場合は、ＤＳＴ開始の有効期間を９〜１０月等に設定すれば良い。
【０１０９】
制御部２０は、ステップＳ２２で「ＹＥＳ」と判定した場合、つまりＢボタン４２の操作タイミングがＤＳＴ開始の有効期間内であった場合は、サマータイム実施期間のＤＳＴ開始のデータを修正する（ステップＳ２３）。この際、制御部２０は、元のＤＳＴ開始のデータが存在しないため、ＤＳＴ開始を予め設定された初期値に設定する。例えば、本実施形態では、制御部２０は、ＤＳＴ開始のデータにおいて、曜日を「日曜」、時刻を「００：００」とし、週情報をＢボタン４２が押された週に設定する。また、ＤＳＴ時差は、通常「１時間」であるため、制御部２０は「＋１」に設定する。
【０１１０】
次に、制御部２０は、サマータイム実施期間のＤＳＴ終了が修正済みであるかを判定する（ステップＳ２４）。制御部２０は、ステップＳ２４で「ＹＥＳ」と判定した場合、つまりサマータイム実施期間のＤＳＴ開始のデータと、ＤＳＴ終了のデータとがそれぞれ修正されている場合は、サマータイム実施期間の手動修正が完了したと判断し、ＤＳＴ自動モードに設定する（ステップＳ６）。
その後は、第１実施形態と同じく、制御部２０は、ＤＳＴ時差によって現時時刻を修正し（ステップＳ７）、修正した現地時刻を指針５１〜５３で表示し、さらに指針５４でＤＳＴオンかＤＳＴオフかを指示する。
【０１１１】
一方、制御部２０は、ステップＳ２１で「ＮＯ」の場合と、ステップＳ２２で「ＮＯ」の場合と、ステップＳ２３で「ＮＯ」の場合には、手動操作でＤＳＴオフからＤＳＴオンに切り換えられたと判断し、現地時刻に＋１時間を加算して修正する（ステップＳ７）。
そして、制御部２０は、修正した現地時刻を指針５１〜５３で表示し、さらに指針５４でＤＳＴオンを指示する。
【０１１２】
［ＤＳＴオフ状態への変更操作］
制御部２０は、ステップＳ２で「ＹＥＳ」と判定した場合は、ＤＳＴオフ（サマータイム未実施期間中）にする（ステップＳ１１）。したがって、サマータイムが未実施の地域では、Ｂボタン４２が押されて、ステップＳ３でＤＳＴオンとされた後、再度、Ｂボタン４２が押された場合に、ステップＳ２で「ＹＥＳ」と判定され、ステップＳ１１でＤＳＴオフとされる。
次に、制御部２０は、ＤＳＴ終了のデータが存在するか否かを判定する（ステップＳ２６）。サマータイム未実施地域の場合、ＤＳＴ終了のデータは存在しないので、制御部２０は、ステップＳ２６で「ＹＥＳ」と判定する。
【０１１３】
制御部２０は、現在時刻（Ｂボタン４２が押された時刻）がＤＳＴ終了の有効期間内であるかを判定する（ステップＳ２７）。
ここで、ＤＳＴ終了の有効期間とは、サマータイムが終了される可能性がある時期を示す。例えば、現在地が北半球の場合、サマータイムは、通常、１０〜１１月に終了されるので、ＤＳＴ終了の有効期間も１０月から１１月（例えば、１０月１日０時から１１月３０日２４時まで）等に設定すれば良い。同様に、現在地が南半球の場合は、ＤＳＴ終了の有効期間を３〜４月等に設定すれば良い。
【０１１４】
制御部２０は、ステップＳ２７で「ＹＥＳ」と判定した場合、つまりＢボタン４２の操作タイミングがＤＳＴ終了の有効期間内であった場合は、サマータイム実施期間のＤＳＴ終了のデータを修正する（ステップＳ２８）。この際、制御部２０は、元のＤＳＴ終了の情報が存在しないため、ＤＳＴ終了を予め設定された初期値に設定する。例えば、本実施形態では、制御部２０は、ＤＳＴ開始のデータと同様に、ＤＳＴ終了の曜日は「日曜」、時刻は「００：００」とし、週情報をＢボタン４２が押された週に設定する。
【０１１５】
制御部２０は、サマータイム実施期間のＤＳＴ開始のデータが修正済みであるかを判定する（ステップＳ２９）。制御部２０は、ステップＳ２９で「ＹＥＳ」と判定した場合、つまりサマータイム実施期間のＤＳＴ開始のデータと、ＤＳＴ終了のデータとがそれぞれ修正されている場合は、サマータイム実施期間の手動修正が完了したと判断する。したがって、制御部２０は、ＤＳＴ自動モードに設定し（ステップＳ６）、現時時刻を−１時間戻して修正し（ステップＳ７）、修正した現地時刻を指針５１〜５３で表示し、さらに指針５４でＤＳＴオフを指示する（ステップＳ８）。
【０１１６】
一方、制御部２０は、ステップＳ２６で「ＮＯ」の場合と、ステップＳ２７で「ＮＯ」の場合と、ステップＳ２９で「ＮＯ」の場合には、手動操作でＤＳＴオンからＤＳＴオフに切り換えられたと判断し、現地時刻を−１時間戻して修正する（ステップＳ７）。
そして、制御部２０は、修正した現地時刻を指針５１〜５３で表示し、さらに指針５４でＤＳＴオフを指示する（ステップＳ８）。
【０１１７】
［第３実施形態の効果］
第３実施形態によれば、前記第１実施形態と同様の効果を奏することができる。
さらに、サマータイムが設定されていないタイムゾーンにおいて、サマータイムを設定する場合に、サマータイム実施期間の開始時や終了時として有効な期間であるかを判定し、有効な期間である場合のみ、そのタイミングの月、週と、予め設定された曜日、時刻でサマータイム実施ルールを設定しているので、誤ったタイミングでＢボタン４２が操作された場合にサマータイム実施ルールを設定することを防止できる。したがって、制御部２０は、ユーザーがサマータイム実施ルールを設定するためにＢボタン４２を操作した可能性が高い場合に、ルール設定処理を実行するため、正しいサマータイム実施ルールを設定できる。
【０１１８】
［第４実施形態］
次に、本発明の第４実施形態について、図１８〜図２１を参照して説明する。なお、第４実施形態の電子時計１Ｃにおいて、前記第１実施形態の電子時計１と同一の構成には同一符号を付し、説明を省略する。
電子時計１Ｃは、ＤＳＴオフ期間中にＤＳＴオン予告の表示期間を設け、ＤＳＴオン期間中にＤＳＴオフ予告の表示期間を設けた点が第１実施形態と相違する。
このため、図１８に示すように、電子時計１Ｃのサブダイヤル５Ｃには、ＤＳＴオン、ＤＳＴオフの表示の間に、ＤＳＴオン予告を示す黒丸の記号５８と、ＤＳＴオフ予告を示す黒丸の記号５９とが表記されている。
【０１１９】
電子時計１Ｃの制御部２０は、ＤＳＴ自動モードに設定されている状態で、サマータイム実施開始の一定期間前（例えば一週間前）になると、指針５４を「ＤＳＴオフ」から「ＤＳＴオン予告」の表示に切り替える。
また、制御部２０は、ＤＳＴ自動モードに設定されている状態で、サマータイム実施終了の一定期間前（例えば一週間前）になると、指針５４を「ＤＳＴオン」から「ＤＳＴオフ予告」の表示に切り替える。
したがって、サブダイヤル５Ｃの記号５８、５９と指針５４とで、サマータイムの実施開始前と実施終了前の一定期間、サマータイム切換の予告を表示する予告表示部が構成されている。
【０１２０】
次に、Ｂボタン４２が押された場合の制御部２０の制御について、図１９に基づいて説明する。
制御部２０は、Ｂボタン４２が押された場合、ＤＳＴオン表示中であるか（ステップＳ３１）、ＤＳＴオン予告表示中であるか（ステップＳ３３）、ＤＳＴオフ予告表示中であるか（ステップＳ３５）を順次判定する。
【０１２１】
そして、制御部２０は、ＤＳＴオン表示中であった場合（ステップＳ３１でＹＥＳ）は、ＤＳＴオフに切り換える（ステップＳ３２）。
制御部２０は、ＤＳＴオン予告表示中であった場合（ステップＳ３３でＹＥＳ）は、ＤＳＴオフに切り換える（ステップＳ３４）。
制御部２０は、ＤＳＴオフ予告表示中であった場合（ステップＳ３５でＹＥＳ）は、ＤＳＴオンに切り換える（ステップＳ３６）。
【０１２２】
また、制御部２０は、ステップＳ３１、Ｓ３３、Ｓ３５でＮＯの場合、ＤＳＴオフ表示中と判断し、ＤＳＴオンに切り換える（ステップＳ３７）。
【０１２３】
制御部２０は、ステップＳ３２、Ｓ３４、Ｓ３６、Ｓ３７で「ＤＳＴオフ」または「ＤＳＴオン」に設定された後、指針５４で現在の状態（ＤＳＴオフ、または、ＤＳＴオン）を表示する（ステップＳ３８）。
【０１２４】
［ＤＳＴオン予告後の制御］
次に、ＤＳＴオン予告後の制御に関して、図２０、２１を参照して説明する。
前述したように、制御部２０は、ＤＳＴオフの状態からＤＳＴ開始の１週間前になると、指針５４の指示を、「ＤＳＴオフ」から「ＤＳＴオン予告」に変更する。
ＤＳＴオン予告中に、ユーザーがＤＳＴ切換ボタンであるＢボタン４２を押すと、図２１に示すように、モードは「ＤＳＴオフ」とされ、指針５４は「ＤＳＴオフ」を指示する。この切換操作によって、ＤＳＴオンはキャンセルされ、制御部２０は、ＤＳＴ開始時刻になってもＤＳＴオフ状態を維持する。
その後、図２１に示すように、ＤＳＴオフを維持している状態で、Ｂボタン４２が押されると、ＤＳＴオンに切り換えられる。この際、第１実施形態と同様に、ＤＳＴ開始から所定期間内（一ヶ月以内）にＢボタン４２が押された場合は、ＤＳＴ開始のデータが修正される。
【０１２５】
一方、制御部２０は、ＤＳＴオン予告の表示中に、Ｂボタン４２が押されずに一週間が経過して、ＤＳＴ開始時刻になると、自動的にＤＳＴオンに切り替わる。このため、制御部２０は、図２０に示すように、指針５４をＤＳＴオンの位置に移動し、現地時刻をＤＳＴ時差で修正して、修正後の現地時刻を指針５１〜５３で表示する。
【０１２６】
［ＤＳＴオフ予告後の制御］
次に、ＤＳＴオフ予告後の制御に関して、図２２、２３を参照して説明する。
前述したように、制御部２０は、ＤＳＴオンの状態からＤＳＴ終了の１週間前になると、指針５４の指示を、「ＤＳＴオン」から「ＤＳＴオフ予告」に変更する。
ＤＳＴオフ予告中に、ユーザーがＤＳＴ切換ボタンであるＢボタン４２を押すと、図２３に示すように、モードは「ＤＳＴオン」とされ、指針５４は「ＤＳＴオン」を指示する。この切換操作によって、ＤＳＴオフはキャンセルされ、制御部２０は、ＤＳＴ終了時刻になってもＤＳＴオン状態を維持する。
その後、図２３に示すように、ＤＳＴオンを維持している状態で、Ｂボタン４２が押されると、ＤＳＴオフに切り換えられる。この際、第１実施形態と同様に、ＤＳＴ終了から所定期間内（一ヶ月以内）にＢボタン４２が押された場合は、ＤＳＴ終了のデータが修正される。
【０１２７】
一方、制御部２０は、ＤＳＴオフ予告の表示中に、Ｂボタン４２が押されずに一週間が経過して、ＤＳＴ終了時刻になると、自動的にＤＳＴオフに切り替わる。このため、制御部２０は、図２２に示すように、指針５４をＤＳＴオフの位置に移動し、現地時刻をＤＳＴ時差分戻して、修正後の現地時刻を指針５１〜５３で表示する。
【０１２８】
［第４実施形態の効果］
第４実施形態の電子時計１Ｃにおいても、前記実施形態と同じ効果を奏することができる。
また、サブダイヤル５Ｃに記号５８、５９を設けて、サマータイムの切換を予告する予告表示部を設けたので、ユーザーにサマータイム実施ルールを修正する機会を事前に与えることができる。このため、ユーザーの利便性を向上でき、かつ、正確な現地時刻表示を行うことができる。
また、予告表示中に切換操作を行うことで、サマータイム手動モードに切り換えるため、サマータイム実施ルールに基づいて自動的にサマータイムの実施、未実施が切り替わることを防止できる。このため、サマータイム実施ルールが変更された際に、修正前の実施ルールが自動的に適用されることを防止でき、変更後のルールと異なるタイミングでサマータイムが切り替わることも防止でき、正確な現地時刻を表示できる。
【０１２９】
［変形例］
なお、本発明は前述の実施形態に限定されるものではなく、本発明の目的を達成できる範囲での変形、改良等は本発明に含まれるものである。
例えば、修正後あるいは設定されているサマータイム実施ルールを、各指針５１〜５４やカレンダー車５５を用いて表示する確認モードを設定してもよい。例えば、サマータイム実施ルールを手動修正した後、所定のボタン操作で確認モードに移行した際に、指針５４がＤＳＴオンを指示して、サマータイム実施期間のＤＳＴ開始のデータを表示することをユーザーに告知し、その後、カレンダー車５５の「１」から「１２」でＤＳＴ開始の月を指示し、指針（秒針）５１で週を指示し、指針５４で曜日を指示する。週の指示は、例えば、ＤＳＴ開始が第１週の場合、指針５１は１時位置を指示し、第２週から第５週の場合、指針５１は２時位置から５時位置を指示するように設定すればよい。なお、ＤＳＴ開始の時刻を指示する場合には、指針（時針）５３、指針（分針）５２で指示するようにしてもよい。
その後、所定のボタン操作が行われると、指針５４がＤＳＴオフを指示して、サマータイム実施期間のＤＳＴ終了のデータを表示することをユーザーに告知し、その後、ＤＳＴ開始の指示と同じく、カレンダー車５５、指針５１、指針５４で、ＤＳＴ終了の月、週、曜日を指示すればよい。なお、ＤＳＴ終了の時刻を指示する場合には、指針（時針）５３、指針（分針）５２で指示するようにしてもよい。
このように修正したサマータイム実施ルールを確認できるようにすれば、ユーザーは正しく修正できたかを確認でき、誤って設定した場合に、改めて修正することができるため、現地時刻を正しく表示できる。
【０１３０】
前記実施形態では、タイムゾーン設定テーブル８１、８１Ｂ、サマータイム実施ルールテーブル８２、８２Ｂの他に、タイムゾーン設定修正テーブル８３、８３Ｂを設けていたが、タイムゾーン設定修正テーブル８３、８３Ｂを設けずに、タイムゾーン設定テーブル８１、８１Ｂを直接修正するように構成してもよい。
例えば、第２実施形態のように、タイムゾーン設定テーブル８１Ｂが都市番号や都市名とタイムゾーン、ＤＳＴ番号とを対応させている場合は、データ数が少ないため、データを圧縮して保存する必要もない。このため、制御部２０は、タイムゾーン設定テーブル８１ＢのＤＳＴ番号を直接修正でき、この場合は、タイムゾーン設定修正テーブル８３Ｂを設ける必要が無い。
また、タイムゾーン設定テーブル８１、８１Ｂのデータ構造が、特定の地域毎にＤＳＴ番号を修正できるように構成されている場合も、タイムゾーン設定修正テーブル８３、８３Ｂを設ける必要が無い。
【０１３１】
第１実施形態の図７のフローチャートにおいて、ステップＳ５、Ｓ１３の後に、第３実施形態の図１７のステップＳ２４，Ｓ２９の判定処理を追加し、サマータイム実施期間のＤＳＴ開始およびＤＳＴ終了の両方のデータが修正された場合に、ＤＳＴ自動モードに設定するように構成してもよい。
【０１３２】
前記各実施形態では、サマータイム実施ルールが修正された場合に、ＤＳＴ自動モードに移行していたが、ＤＳＴ手動モードに維持し、別途、ユーザーがＤＳＴ自動モードへの切換操作を行った場合に、ＤＳＴ自動モードに移行してもよい。
【０１３３】
第３実施形態では、サマータイム実施ルールを予め設定された初期値に設定していたが、Ｂボタン４２でＤＳＴオン、ＤＳＴオフを切り換えたタイミングから、近傍の地域のサマータイム実施ルールを検索し、一致するルールがあれば、その実施ルールを設定してもよい。例えば、位置情報衛星受信装置１０で取得した現在地が、国境などの境界線が入り組んだ地域のために、サマータイム実施なしと設定されている可能性もある。このような場合、Ｂボタン４２の操作タイミングにより、ＤＳＴ開始またはＤＳＴ終了の月および週が特定されるため、近傍の地域のサマータイム実施ルールにおいて、月、週が一致するルールがあれば、そのルールを適用すればよい。この場合、ＤＳＴ開始またはＤＳＴ終了の一方の操作のみでサマータイム実施ルールを設定することもでき、利便性を向上できる。
【０１３４】
前記実施形態では、切換操作部はＢボタン４２のみで構成していたが、ＤＳＴオンを指示するボタンと、ＤＳＴオフを指示するボタンとの２つのボタンで切換操作部を構成してもよい。
【符号の説明】
【０１３５】
１、１Ｂ、１Ｃ…電子時計、５…文字板、５Ａ、５Ｃ…サブダイヤル、１０…位置情報衛星受信装置、１１…ＧＰＳアンテナ、２０…制御部、３０…記憶装置、３１…ＲＡＭ、３２…ＲＯＭ、４０…入力装置、４１…Ａボタン、４２…Ｂボタン（切換操作部）、５…文字板、５０…表示装置、５１…指針（秒針）、５２…指針（分針）、５３…指針（時針）、５４…指針（モード針、予告表示部）、５６…記号、５７…都市情報、５８、５９…記号（予告表示部）、６０…二次電池、７０…ソーラーパネル、８０…外部記憶装置、８１、８１Ｂ…タイムゾーン設定テーブル、８２、８２Ｂ…サマータイム実施ルールテーブル、８３、８３Ｂ…タイムゾーン設定修正テーブル。
【図１】
2018146397.tif 000003
【図２】
2018146397.tif 000004
【図３】
2018146397.tif 000005
【図４】
2018146397.tif 000006
【図５】
2018146397.tif 000007
【図６】
2018146397.tif 000008
【図７】
2018146397.tif 000009
【図８】
2018146397.tif 000010
【図９】
2018146397.tif 000011
【図１０】
2018146397.tif 000012
【図１１】
2018146397.tif 000013
【図１２】
2018146397.tif 000014
【図１３】
2018146397.tif 000015
【図１４】
2018146397.tif 000016
【図１５】
2018146397.tif 000017
【図１６】
2018146397.tif 000018
【図１７】
2018146397.tif 000019
【図１８】
2018146397.tif 000020
【図１９】
2018146397.tif 000021
【図２０】
2018146397.tif 000022
【図２１】
2018146397.tif 000023
【図２２】
2018146397.tif 000024
【図２３】
2018146397.tif 000025